(57)【要約】    【課題】  従来のロック機構は裏面等の外側に突出したものが多く、接触してロック機構が外れることが屡々あり、又、ロック機構を組み込み外側へ突出させていないものもあるが、鋭利な別体の工具を用意しなければならなかった。    【解決手段】  固定具２と合着し枢動可能に組設された枠体１とから成り、固定具２の固定具接続部２ｄにロック部材挿入穴３を穿設し、ロック部材挿入穴３と連通状態に中仕切１ｄの端辺に枠体ロック部４を形成し、枠体ロック部４とロック部材挿入穴３にロック部材５を摺動自在に挿入させ、ロック部材５に摺動用孔５ａを刻設し、摺動用孔５ａに挿通させる先端部６ａと基端に操作部６ｂと中程に枢動支点６ｃを突設した操作用レバー６を設け、操作用レバー６の枢動支点６ｃを枢動自在に枢着した操作用レバー支持部７を固定具接続部２ｄの裏面に立設したものである。    【選択図】  図１
2006000608.tif 000002
【特許請求の範囲】
【請求項１】
コーナーに配設した固定具と合着し夫々枢動可能に組設された枠体とから成り、前記枠体は側面の表側端辺を湾曲させて被掲示物等の表面の係着部を形成すると共に裏側端辺の内側に枢動軸受部を形成し、該係着部と枢動軸受部との間へ枢動軸受部を中心点とする枢動弧状線上を少なくとも一部が位置する中仕切を延設し、該中仕切の先端へ膨出させた中仕切係止部を形成すると共に、前記固定具は一側辺を枠体の枢動軸受部に嵌着して枢動基点と成り他側辺が前記中仕切と当接する枢動基片を形成し、該枢動基片へ前記中仕切係止部と係合して枢動を係止させる中仕切用係止部と固定具接続部とを延設し、前記固定具接続部へ前記中仕切を内抱するように固定具裏面と固定具立設部とを延設させ、該固定具立設部へ被掲示物等の裏面の当接面を延設させると共に、前記固定具の固定具接続部の角部に沿った略Ｌ字状のロック部材挿入穴を穿設し、該ロック部材挿入穴と連通状態に隣り合う枠体の夫々の中仕切の端辺に枠体ロック部を形成し、該枠体ロック部と前記ロック部材挿入穴に略Ｌ字状のロック部材を摺動自在に挿入させ、該ロック部材の両側端又は一側端に摺動用孔を刻設し、該摺動用孔に遊動可能に挿通させる先端部と基端に操作部と中程に枢動支点を突設した操作用レバーを設け、該操作用レバーの枢動支点を枢動自在に枢着した操作用レバー支持部を固定具接続部の裏面に立設したことを特徴とする額縁等のロック機構。
【発明の詳細な説明】
【技術分野】
【０００１】
本発明はコーナーに夫々配設した固定具と、該固定具に枢動可能に且つ夫々平行に合着させた二対の枠体から成る額縁等のロック機構に関するものであり、更に詳細には、額縁、ポスターフレーム等により被掲示物等を掲示するに際し、継手等の固定具に枠体を枢動可能に組設し、該枠体を枢着させることで被掲示物の周縁部を挟着又は開放させ着脱を容易とする固定具と枠体とを挟着状態でロックする額縁等のロック機構に関するものである。
【背景技術】
【０００２】
従来より、被掲示物等を挟着して掲示、又は、装飾等に用いる額、及び、ポスターフレームは様々工夫されて市販されており、額縁等の被掲示物を挟着している枠体の係着部を枢動させて取り出すものは既に開発され市販されているが、その殆どは表層枠と裏層枠との二部材から成る枠体であって、夫々表裏層の枠体を一体の蝶番等によって枢動自在として組設させており、更に、枠体と別体のコーナー、継手等の固定具へ連結させる構造のものも開発されているが、枠体と共に別体の線状或いは板状のスプリングを介装して枢動させる構造のものであった。
【０００３】
その為に、枠体を一部材で形成して、コーナー、継手等の固定具と合着させて、合理的に、且つ、容易に枠体と固定具とを枢動自在として連結できる機構の額縁又はポスターフレーム等も開発され、市販されている。
【０００４】
又、先にこの種のロック機構として開示されている、裏板１６の上端部に円筒軸１２を、また前記裏板１６の上面部に固着爪１３と、背面部に案内片１４と、他端部に押圧片２４とを形成した下枠１１と、基板２６の端部に前記円筒軸１２の軸面と枢着するための枢支部１９を、また前記基板２６に前記した固着爪１３と嵌合するための掴持爪２３と、押圧片とを形成した上枠１０とで構成された縁枠の構造（特許文献１参照）がある。
【特許文献１】特開昭５１−９０６６９号公報
【発明の開示】
【発明が解決しようとする課題】
【０００５】
然し乍ら、前述のような従来品には被掲示物を掲示した枠体の挟着状態で付設又は組設されているロック機構は額、ポスターフレーム等の裏面等の外側に突出して付設されたものが多く、不用意に接触してロック機構が外れることが屡々あり、又、ロック機構を固定具又は枠体の合着部へ組み込み外側へ突出させていないものもあるが、この場合、ロック機構を開閉する時に、先端が鋭利なドライバーのようなもので操作しなければならず、別体の工具を用意しなければならず課題を有していた。
【課題を解決するための手段】
【０００６】
本発明の額縁等のロック機構は、前述の課題に鑑み、鋭意研鑽の結果、固定具と合着し枢動可能に組設された枠体とから成り、枠体は側面を湾曲させて被掲示物等の係着部を形成すると共に裏側端辺の内側に枢動軸受部を形成し、係着部と枢動軸受部の間へ中仕切を延設し、中仕切の先端へ中仕切係止部を形成すると共に、固定具は一側辺に枢動基点と他側辺に枢動基片を形成し、枢動基片へ枢動を係止させる中仕切用係止部と固定具接続部とを延設し、固定具接続部に固定具裏面と固定具立設部とを延設させ、固定具立設部へ被掲示物等の当接面を延設させると共に、固定具の固定具接続部にロック部材挿入穴を穿設し、ロック部材挿入穴と連通状態に隣り合う枠体の夫々の中仕切に枠体ロック部を形成し、枠体ロック部とロック部材挿入穴にロック部材を摺動自在に挿入させ、ロック部材に摺動用孔を刻設し、摺動用孔に挿通させる先端部と基端に操作部と中程に枢動支点を突設した操作用レバーを設け、操作用レバーの枢動支点を枢着した操作用レバー支持部を固定具接続部に立設したものである。
【発明の効果】
【０００７】
本発明の額縁等のロック機構は、被掲示物等を枠体と固定具で挟持状態で枠体の中仕切を内抱する固定具の固定具接続部と両側の枠体の夫々の中仕切の端辺に略Ｌ字状のロック部材挿入穴を穿設し、該ロック部材挿入穴に摺動自在に略Ｌ字状のロック部材を挿入し、操作用レバーによりロック部材を摺動させることによって、ロック部材が中仕切に穿設したロック部材挿入穴より突出した場合はロックし、中仕切に穿設したロック部材挿入穴から裏方に外れた場合は解放されるものであり、額縁等の裏面から突出していないため誤作動が無く、又、工具等を必要としないで指先だけでロック及び解除ができ見栄えが良く、実用的で有意義な発明である。
【発明を実施するための最良の形態】
【０００８】
本発明はコーナーに夫々配設した固定具と、該固定具に枢動可能に且つ夫々平行に合着させた二対の枠体から成る額縁等のロック機構に関するものであり、更に詳細には、額縁、ポスターフレーム等により被掲示物等を掲示するに際し、継手等の固定具に枠体を枢動可能に組設し、該枠体を枢着させることで被掲示物の周縁部を挟着又は開放させ着脱を容易とする固定具と枠体とを挟着状態でロックする額縁等のロック機構に関するものであり、コーナーに配設した固定具２と合着し夫々枢動可能に組設された枠体１とから成り、前記枠体１は側面１ａの表側端辺を湾曲させて被掲示物等の表面の係着部１ｂを形成すると共に裏側端辺の内側に枢動軸受部１ｃを形成し、該係着部１ｂと枢動軸受部１ｃとの間へ枢動軸受部１ｃを中心点とする枢動弧状線上を少なくとも一部が位置する中仕切１ｄを延設し、該中仕切１ｄの先端へ膨出させた中仕切係止部１ｅを形成すると共に、前記固定具２は一側辺２ａを枠体１の枢動軸受部１ｃに嵌着して枢動基点と成り他側辺２ｂが前記中仕切１ｄと当接する枢動基片２ｃを形成し、該枢動基片２ｃへ前記中仕切係止部１ｅと係合して枢動を係止させる中仕切用係止部２ｅと固定具接続部２ｄとを延設し、前記固定具接続部２ｄへ前記中仕切１ｄを内抱するように固定具裏面２ｆと固定具立設部２ｇとを延設させ、該固定具立設部２ｇへ被掲示物等の裏面の当接面２ｈを延設させると共に、前記固定具２の固定具接続部２ｄの角部に沿った略Ｌ字状のロック部材挿入穴３を穿設し、該ロック部材挿入穴３と連通状態に隣り合う枠体１の夫々の中仕切１ｄの端辺に枠体ロック部４を形成し、該枠体ロック部４と前記ロック部材挿入穴３に略Ｌ字状のロック部材５を摺動自在に挿入させ、該ロック部材５の両側端又は一側端に摺動用孔５ａを刻設し、該摺動用孔５ａに遊動可能に挿通させる先端部６ａと基端に操作部６ｂと中程に枢動支点６ｃを突設した操作用レバー６を設け、該操作用レバー６の枢動支点６ｃを枢動自在に枢着した操作用レバー支持部７を固定具接続部２ｄの裏面に立設したものである。
【実施例】
【０００９】
以下、本発明の額縁等のロック機構の実施例の図面を用いて詳細に説明すると、図１は本発明の額縁等のロック機構の実施例の固定具と枠体の裏面斜視図であり、図２は本発明の額縁等のロック機構の実施例の固定具の表面斜視図であり、図３は本発明の額縁等のロック機構の実施例のロック部材の斜視図であり、図４は本発明の額縁等のロック機構の実施例のロック部材と操作用レバーとの分解斜視図であり、図５は本発明の額縁等のロック機構の次実施例のロック部材の斜視図であり、図６は本発明の額縁等のロック機構の次実施例の操作用レバーの斜視図である。
【００１０】
即ち、本発明を実施する額縁等は、絵画、写真、ポスター等の被掲示物透明板体と背板との間に積層して、外周辺を枠体１で囲んで壁等に架けるか、或いは、机等の上に載置して掲示用、又は、装飾用に用いる額、ポスターフレーム等の枠体１を継手等の固定具２と合着させて、枠体１を枢動させることによって被掲示物等を挟着して掲示するものである。
【００１１】
更に、図１に図示する如く、枠体１はアルミ等の軽金属、或いは、硬質の合成樹脂等で形成するもので、通常、二対を平行させて矩形状に配設されたものであり、夫々当接する枠体１は角部を４５度にカットして直角に合着させて額縁等の固定具２で固定しているものであり、夫々の枠体１は長さ方向に沿った側面１ａの表側端辺を内側に湾曲させて被掲示物等の表面の板ガラス、アクリル樹脂等の透明板体を表面から係着する係着部１ｂを形成したものであり、一方、裏側端辺は内側に後述するコーナーに配設された固定具２と嵌着して枢動時の軸受となる枢動軸受部１ｃを形成するものであり、表側端辺と裏側端辺との間の側面１ａは従来の枠体と同様に平坦長板状と成っているものである。
【００１２】
そして、前記枠体１の内側へは係着部１ｂと枢動軸受部１ｃとの間へ断面弧状の中仕切１ｄを延設するものであるが、該中仕切１ｄの弧状は前記枢動軸受部１ｃを中心点として中心角を略９０程度とする円弧を有するものであり、中仕切１ｄの先端へは断面円状の中仕切係止部１ｅを膨出させて形成したものであり、更に、隣り合う枠体１の合着する夫々の中仕切１ｄの端辺には後述するロック部材挿通穴３に成るようにコ字状に切り込みを入れて枠体ロック部４を形成するものである。
【００１３】
次に、図１及び図２に図示する如く、固定具２は枠体１と同様なアルミ等の軽金属、或いは、硬質の合成樹脂等で一体に形成するものであるが、枠体１又は固定具２の何れかへは材料特性を持たせて弾性を利して連結させるものであり、つまり、枠体１の枢動軸受部１ｃと中仕切１ｄとの間、又は、枢動基片２ｃの材料特性による弾性を利して合着させるものであり、枢動基片２ｃの一側辺２ａは枠体１の枢動軸受部１ｃと嵌着し、枢動基片２ｃの他側辺２ｂは枠体１の中仕切１ｄの内側と摺接して枢動するものであり、枠体１を枢動させて開放する場合は、枢動基片２ｃの他側辺２ｂが中仕切１ｄの先端に膨出形成した中仕切係止部１ｅの下方に移動して当接することによって枢動を停止するものである。
【００１４】
次いで、枢動基片２ｃに延設する固定具接続部２ｄは枠体１の中仕切１ｄの内側の形状と略合致する断面弧状であり、枢動基片２ｃの一側辺２ａを中心として中心角を略９０程度の断面円弧状に形成し、一側辺２ａを枠体１の枢動軸受部１ｃと嵌着し他側辺２ｂを枠体１の中仕切１ｄの内側と摺接して枢動するものであり、更に、枢動基片２ｃの他側辺２ｂの近傍より固定具接続部２ｄを延設するものであり、加えて、固定具接続部２ｄの一部へは中仕切係止部１ｅと枠体１が被掲示物等を挟着状態で係止する中仕切用係止部２ｅを固定具接続部２ｄの外周方に突出、又は、凹溝状に形成したものである。
【００１５】
更に、固定具２の固定具接続部２ｄへは前記枠体１の中仕切１ｄを被掲示物を挟着状態で内抱するように背面と成る固定具裏面２ｆと、該固定具裏面２ｆより額縁等の前面へ向けて垂直に立ち上がる固定具立設部２ｇと、更に、被掲示物を介して積層した透明板体と背板とを載置する当接部２ｈを延設し、該当接部２ｈは枠体１を枢動させることによって枠体１の係着部１ｂとにより被掲示物を押圧して挟着するものである。
【００１６】
更に、ロック部材挿入穴３は固定具２の角部に沿った略Ｌ字状に穿設したものであり、固定具２の固定具接続部２ｄと、固定具２と合着された先端を４５度に切断させて突き合わせた両側の枠体１の夫々の中仕切１ｄの端辺にコ字状に切り込みを入れて枠体ロック部４をロック部材挿入穴３と同形状で連通状態に夫々形成しているものである。
【００１７】
そして、ロック部材５は図３乃至図５に図示する如く、固定具接続部２ｄと夫々の中仕切１ｄの端辺に貫通させて穿設したロック部材挿入穴３に摺動自在に挿入させる平板部材を直角に接続して略Ｌ字状に形成したものであり、その両側端には後述する操作用レバー６の先端部６ａを遊動可能に挿通させる摺動用孔５ａを刻設しているものであり、摺動用孔５ａはロック部材５の一側端のみに刻設しても後述する操作用レバー６の操作によりロック部材５が摺動できれば構わないものである。
【００１８】
次に、操作用レバー６は図４又は図６に図示する如く、ロック部材５の摺動用孔５ａに遊動可能に挿通させる円板状の先端部６ａと杆状に延設させた指先で操作するための基端に設けた操作部６ｂと中程に後述する操作用レバー支持部７に枢着する枢動支点６ｃを突設したものである。
【００１９】
次いで、操作用レバー支持部７は固定具接続部２ｄの裏面に一対のリブ状に立設させたもので、操作用レバー６の枢動支点６ｃを枢動自在に枢着するものであり、つまり、操作用レバー６の両側に突出させた枢動支点６ｃを枢動自在に枢着させるものである。
【００２０】
前述のように構成した本発明の額縁等のロック機構は、ロック部材５を固定具２の固定具接続部２ｄに穿設したロック部材挿入穴３と、隣り合う両側の枠体１の中仕切１ｄの端辺にコ字状に切り込みを入れてロック部材挿入穴３と連通状態の枠体ロック部４とに挿入させると、ロック部材５が枠体ロック部４に挿通しているため枠体１の中仕切１ｄがロック部材５に当接して枢動を不可能としているものである。
【００２１】
更には、この状態から、操作用レバー６の操作部６ｂを指先で押圧することにより、梃子の作用により枢動支点６そを中心に枢動し、枢動により操作用レバー６の先端部６ａは摺動用孔を遊動しながらロック部材５を摺動させるものであり、摺動によりロック部材５はロック部材挿入穴３の裏面側に移動して枠体ロック部４から外れるもので、ロック部材５が枠体ロック部４から外れることにより枠体１は枢動可能となるものである。
【００２２】
尚、ロック部材５とロック部材挿入穴３とには抜落を防止するための抜落防止係止部や、ロック状態を音で知らせるクリック機構を設けることは任意のものであり、更に、略Ｌ字状のロック部材５の頂面に矩形状又は円形状の突起を形成し、該突起が挿入する枠体ロック部４を中仕切１ｄの端辺に形成しても構わないものである。
【産業上の利用可能性】
【００２３】
本発明の額縁等のロック機構は、被掲示物を掲示して枠体を挟持状態でロックさせると共に、ロック機構は外側には突出せず、且つ、工具を必要としないため指先等で容易にロック機構を開閉できるものであり、被掲示物の周縁部を挟着又は開放させ着脱を容易とするロック機構となるもので、見映えの良い額縁等のロック機構が提供可能となる。
【図面の簡単な説明】
【００２４】
【図１】図１は本発明の額縁等のロック機構の実施例の固定具と枠体の裏面斜視図である。
【図２】図２は本発明の額縁等のロック機構の実施例の固定具の表面斜視図である。
【図３】図３は本発明の額縁等のロック機構の実施例のロック部材の斜視図である。
【図４】図４は本発明の額縁等のロック機構の実施例のロック部材と操作用レバーとの分解斜視図である。
【図５】図５は本発明の額縁等のロック機構の次実施例のロック部材の斜視図である。
【図６】図６は本発明の額縁等のロック機構の次実施例の操作用レバーの斜視図である。
【符号の説明】
【００２５】
１     枠体
１ａ   側面
１ｂ   係着部
１ｃ   枢動軸受部
１ｄ   中仕切
１ｅ   中仕切係止部
２     固定具
２ａ   一側辺
２ｂ   他側辺
２ｃ   枢動基片
２ｄ   固定具接続部
２ｅ   中仕切用係止部
２ｆ   固定具裏面
２ｇ   固定具立設部
２ｈ   当接部
３      ロック部材挿入穴
４      枠体ロック部
５      ロック部材
５ａ    摺動用孔
６      操作用レバー
６ａ    先端部
６ｂ    操作部
６ｃ    枢動支点
７      操作用レバー支持部
【図１】
2006000608.tif 000003
【図２】
2006000608.tif 000004
【図３】
2006000608.tif 000005
【図４】
2006000608.tif 000006
【図５】
2006000608.tif 000007
【図６】
2006000608.tif 000008